(57)【要約】【課題】従来、高視聴頻度番組及び高頻度録画番組に基づき視聴者の嗜好性を推定して番組ガイド表示していた。しかし、高視聴頻度番組は必ずしも視聴者の嗜好性を反映するものではない。また、高頻度録画番組は必ずしも視聴者の嗜好性を反映するものではない。上記問題点に鑑み、番組選局や録画予約の支援のため、視聴者の嗜好性をより良く反映することができることを目的とする【解決手段】本発明の映像再生装置及び映像再生装置を含む映像表示システムは、前記放送番組の録画、再生に関する操作履歴を記憶し、該記憶された操作履歴の録画された放送番組を実際に再生した累積時間に基づいて視聴者の嗜好性を判断する嗜好性判断手段を備えるようにした。【選択図】図１
2008042567.tif 000002
【特許請求の範囲】
【請求項１】
録画番組を再生可能な映像再生装置において、前記録画番組の録画、再生に関する操作履歴に基づいて視聴者の嗜好性を判断する嗜好性判断手段を備えたことを特徴とする映像再生装置。
【請求項２】
前記録画番組の録画、再生に関する操作履歴に基づいた嗜好性データを記憶した記憶手段を備え、
前記嗜好性判断手段は前記記憶手段に記憶された嗜好性データに基づいて視聴者の嗜好性を判断することを特徴とする請求項１に記載の映像再生装置。
【請求項３】
前記再生に関する操作履歴は、録画された放送番組を実際に再生した累積時間であることを特徴とする請求項１又は請求項２のいずれか一項に記載の映像再生装置。
【請求項４】
前記累積時間に基づき前記録画された放送番組の操作履歴毎にスコアを付して記憶する嗜好データベース記憶手段を備え、
前記嗜好性判断手段は前記嗜好データベース記憶手段に記憶されたスコアに基づいて視聴者の嗜好性を判断することを特徴とする請求項３に記載の映像再生装置。
【請求項５】
前記スコアは前記再生に関する操作履歴に基づいて重み付けされることを特徴とする請求項４に記載の映像再生装置。
【請求項６】
請求項１乃至５のいずれか一項に記載の映像再生装置において、該映像再生装置は放送番組を選局する番組選局手段を備え、前記嗜好性判断手段に基づいて番組選局を行うことを特徴とする映像再生装置。
【請求項７】
請求項１乃至５のいずれか一項に記載の映像再生装置において、該映像再生装置は番組ガイド情報取得手段と番組ガイド情報編集手段と番組ガイド表示手段を備え、前記嗜好性判断手段に基づいて該番組ガイド情報を編集することを特徴とする映像再生装置。
【請求項８】
請求項７に記載の映像再生装置において、前記番組ガイド情報編集手段は電子番組ガイド表の特定の放送番組を強調表示することを特徴とする映像再生装置。
【請求項９】
請求項７または８のいずれか一項に記載の映像再生装置において、前記番組ガイド情報編集手段は前記電子番組ガイド表に強調表示される放送番組以外の放送番組を表示しないようにしたことを特徴とする映像再生装置。
【請求項１０】
請求項８または９のいずれか一項に記載の映像再生装置において、前記電子番組ガイド表に強調表示される放送番組は、色により区分けして強調表示されることを特徴とする映像再生装置。
【請求項１１】
請求項１乃至１０のいずれか一項に記載の映像再生装置を含む映像表示システム。
【請求項１２】
録画番組を再生する視聴者の嗜好性を判断する嗜好性判断方法において、前記録画番組の録画、再生に関する操作履歴に基づいて視聴者の嗜好性を判断することを特徴とする嗜好性判断方法。
【請求項１３】
前記録画番組の録画、再生に関する操作履歴に基づいた嗜好性データを記憶し、
前記記憶された嗜好性データに基づいて視聴者の嗜好性を判断することを特徴とする請求項１２に記載の嗜好性判断方法。
【請求項１４】
前記再生に関する操作履歴は、録画された放送番組を実際に再生した累積時間であることを特徴とする請求項１２又は請求項１３のいずれか一項に記載の嗜好性判断方法。
【請求項１５】
前記累積時間に基づき前記録画された放送番組の操作履歴毎にスコアを付して記憶し、
前記記憶されたスコアに基づいて視聴者の嗜好性を判断することを特徴とする請求項１４に記載の嗜好性判断方法。
【請求項１６】
前記スコアは前記再生に関する操作履歴に基づいて重み付けされることを特徴とする請求項１５に記載の嗜好性判断方法。
【請求項１７】
内部に備わる録画機の録画、再生に関する操作履歴に基づいて視聴者の嗜好性を判断することを特徴とする請求項１２乃至請求項１６のいずれか一項に記載の嗜好性判断方法。
【請求項１８】
外部に接続された録画機の録画、再生に関する操作履歴に基づいて視聴者の嗜好性を判断することを特徴とする請求項１２乃至請求項１６のいずれか一項に記載の嗜好性判断方法。
【請求項１９】
請求項１２乃至１８のいずれか一項に記載の嗜好性判断方法に基づいて特定の放送番組を選局することを特徴とする番組選局方法。
【請求項２０】
請求項１２乃至１８のいずれか一項に記載の嗜好性判断方法に基づいて電子番組ガイド表の特定の放送番組を強調表示することを特徴とする電子番組ガイド表示方法。
【発明の詳細な説明】
【技術分野】
【０００１】
本発明は、映像再生装置、映像再生装置を含む映像表示システム、嗜好性判断方法、番組選局方法、及び電子番組ガイド表示方法に係り、特に録画番組の録画、再生に関する操作履歴に基づいて視聴者の嗜好性を判断することができる映像再生装置、映像再生装置を含む映像表示システム、嗜好性判断方法、番組選局方法、及び電子番組ガイド表示方法に関する。
【背景技術】
【０００２】
テレビ受信機において、放送番組を録画する場合に、ＢＳデジタル放送、１１０度ＣＳデジタル放送、地上デジタル放送などでは、電子番組ガイド（以下ＥＰＧという）より、特定の番組を視聴者が選んで選局操作をすることが行われている。この場合、ＥＰＧでは大量の番組が表示されるため、視聴者が特定の番組を選局するまでに、非常に時間がかかるという問題がある。そこで、視聴者がＥＰＧから特定の番組を選局するための各種支援方法が提案されている。
【０００３】
例えば、特開２００１−１８６４５３号公報、特開平１１−１９５２５６号公報、特開平９−２６１５４９号公報などには、視聴番組や録画番組の履歴を管理し、高視聴頻度番組及び高頻度録画番組を自動的に選択して視聴者に提供するシステムが開示されている。これは高視聴頻度番組及び高頻度録画番組は視聴者の嗜好に合った番組であり、視聴したり録画したりする場合には、これら高視聴頻度番組及び高頻度録画番組、或いはこれらに類似した番組から選局するであろうという考えに基づいている。
【特許文献１】特開２００１−１８６４５３号公報
【特許文献２】特開平１１−１９５２５６号公報
【特許文献３】特開平９−２６１５４９号公報
【発明の開示】
【発明が解決しようとする課題】
【０００４】
しかしながら、高視聴頻度番組及び高頻度録画番組から、視聴番組や録画番組を選局するであろうとする上記従来技術には、次のような問題がある。
嗜好性の高い番組はその視聴時間と比例するわけではない。即ちテレビ放送は、所謂「点けっぱなし」で見ている場合（実際には見ておらず、ＢＧＭ的に使用している場合など）があり、この場合の放送内容は視聴者の嗜好と必ずしも一致するものではなく、次に視聴したい、あるいは録画したい番組とは一致していない場合が多い。したがって、高視聴頻度番組は必ずしも視聴者の嗜好性を反映するものではない。
また、録画予約の操作自体から嗜好性を判断するのは、誤操作や、視聴者が後でつまらないと感じる番組を予約している場合などがあるので早計である。したがって、高頻度録画番組は必ずしも視聴者の嗜好性を反映するものではない。
【０００５】
本発明の目的は、上記問題点に鑑み、番組選局や録画予約の支援のため、視聴者の嗜好性をより良く反映することができる映像再生装置、映像再生装置を含む映像表示システム、嗜好性判断方法、番組選局方法、及び電子番組ガイド表示方法を提供することにある。
【課題を解決するための手段】
【０００６】
本発明の映像再生装置は、録画番組を再生可能な映像再生装置において、前記録画番組の録画、再生に関する操作履歴に基づいて視聴者の嗜好性を判断する嗜好性判断手段を備えたことを特徴とする。
また、本発明の映像再生装置は、前記録画番組の録画、再生に関する操作履歴に基づいた嗜好性データを記憶した記憶手段を備え、前記嗜好性判断手段は前記記憶手段に記憶された嗜好性データに基づいて視聴者の嗜好性を判断することを特徴とする。
また、本発明の映像再生装置は、前記再生に関する操作履歴が、録画された放送番組を実際に再生した累積時間であることを特徴とする。
また、本発明の映像再生装置は、前記累積時間に基づき前記録画された放送番組の操作履歴毎にスコアを付して記憶する嗜好データベース記憶手段を備え、前記嗜好性判断手段は前記嗜好データベース記憶手段に記憶されたスコアに基づいて視聴者の嗜好性を判断することを特徴とする。
また、本発明の映像再生装置は、前記スコアは前記再生に関する操作履歴に基づいて重み付けされることを特徴とする。
また、本発明の映像再生装置は、請求項１乃至５のいずれか一項に記載の映像再生装置において、該映像再生装置は放送番組を選局する番組選局手段を備え、前記嗜好性判断手段に基づいて番組選局を行うことを特徴とする。
また、本発明の映像再生装置は、請求項１乃至５のいずれか一項に記載の映像再生装置において、該映像再生装置は番組ガイド情報取得手段と番組ガイド情報編集手段と番組ガイド表示手段を備え、前記嗜好性判断手段に基づいて該番組ガイド情報を編集することを特徴とする。
また、本発明の映像再生装置は、前記番組ガイド情報編集手段が電子番組ガイド表の特定の放送番組を強調表示することを特徴とする。
また、本発明の映像再生装置は、前記番組ガイド情報編集手段は前記電子番組ガイド表に強調表示される放送番組以外の放送番組を表示しないようにしたことを特徴とする。
また、本発明の映像再生装置は、前記電子番組ガイド表に強調表示される放送番組は、色により区分けして強調表示されることを特徴とする。
また、本発明の映像表示システムは、上記映像再生装置を含む映像表示システムであることを特徴とする。
また、本発明の嗜好性判断方法は、録画番組を再生する視聴者の嗜好性を判断する嗜好性判断方法において、前記録画番組の録画、再生に関する操作履歴に基づいて視聴者の嗜好性を判断することを特徴とする。
また、本発明の嗜好性判断方法は、前記録画番組の録画、再生に関する操作履歴に基づいた嗜好性データを記憶し、前記記憶された嗜好性データに基づいて視聴者の嗜好性を判断することを特徴とする。
また、本発明の嗜好性判断方法は、前記再生に関する操作履歴が、録画された放送番組を実際に再生した累積時間であることを特徴とする。
また、本発明の嗜好性判断方法は、前記累積時間に基づき前記録画された放送番組の操作履歴毎にスコアを付して記憶し、前記記憶されたスコアに基づいて視聴者の嗜好性を判断することを特徴とする。
また、本発明の嗜好性判断方法は、前記スコアは前記再生に関する操作履歴に基づいて重み付けされることを特徴とする。
また、本発明の嗜好性判断方法は、内部に備わる録画機の録画、再生に関する操作履歴に基づいて視聴者の嗜好性を判断することを特徴とする。
また、本発明の嗜好性判断方法は、外部に接続された録画機の録画、再生に関する操作履歴に基づいて視聴者の嗜好性を判断することを特徴とする。
また、本発明の番組選局方法は、上記嗜好性判断方法に基づいて特定の放送番組を選局することを特徴とする。
また、本発明の電子番組ガイド表示方法は、上記嗜好性判断方法に基づいて電子番組ガイド表の特定の放送番組を強調表示することを特徴とする。
【発明の効果】
【０００７】
本発明によれば、録画番組を実際に再生した時間、あるいは再生およびその操作に費やした時間の累計により視聴者の嗜好性を判断できるので、視聴者の嗜好性をより良く反映することができる映像再生装置、映像再生装置を含む映像表示システム、嗜好性判断方法、番組選局方法、及び電子番組ガイド表示方法を提供することができる。
【発明を実施するための最良の形態】
【０００８】
次に、本発明を実施するための最良の形態を、図面を参照して具体的に説明する。
【０００９】
（第１の実施の形態）
図１は、本発明を実施するための具体的なテレビ受信機の一例を示す図である。なお、本発明はテレビ受信機に限らず、録画番組を再生可能な映像再生装置、放送番組の録画映像を表示することができる映像再生装置に適用可能である。また、本発明での映像再生装置は、少なくとも映像データを再生することができる装置を指し、テレビ受信機、録画機を含むものとする。また、テレビ受信機、録画機は単独で放送番組を受信することができ、この番組データの映像信号を録画、再生することができるものを含む。
【００１０】
図１において、１はテレビ受信機、２はテレビ受信機１に外部接続された録画機、３はテレビ受信機を遠隔操作するリモートコントローラ（以下ＴＶリモコンという）、４は放送電波を受信するアンテナである。録画機２としては、ＤＶＤレコーダ、ビデオ装置、ハードディスク装置などが接続される。なお、テレビ受信機１は、地上デジタル放送、ＢＳデジタル放送、１１０度ＣＳデジタル放送などのデジタル放送を受信することができるテレビ受信機である。映像再生装置であるテレビ受信機１にアンテナ４や録画機２が接続され、またＴＶリモコン３なども備えられて、映像再生装置を含む映像表示システムが構築されている。映像表示システムとして考えた場合には、録画機２を交換するような場合も含み、これらの操作履歴は総合して管理される。例えば同一番組が交換した後の録画機にある場合などは交換する前の録画機の同一番組と合わせて、再生操作した累積時間などが求められる。
【００１１】
更に、テレビ受信機１の内部構成を説明すると、アンテナ４からの電波を入力して所望のチャンネルを選局するとともにこの選局されたチャンネルの信号を復調するチューナ及び復調部５、チューナ及び復調部５で選局して復調された信号（ＴＳ信号；トランスポートストリーム信号）を入力して各種信号を抽出するＴＳ−Ｄｅｍｕｘ６、ＴＳ−Ｄｅｍｕｘ６から所望の放送番組の映像信号と音声信号を入力し伸長及び復号化処理を行い出力するＡ／Ｖデコーダ７、Ａ／Ｖデコーダ７あるいは録画機２からの映像信号と音声信号をシステムコントローラ１５からの信号により切り替えてスピーカ９とディスプレイ１０に出力し、また、録画機２にアナログの映像信号と音声信号を出力するＡ／Ｖ出力制御部８、Ａ／Ｖ出力制御部８から入力した音声信号により音声を再生するスピーカ９、Ａ／Ｖ出力制御部８から入力した映像信号により映像を表示するディスプレイ１０、ＴＶリモコン３からの信号を受信するリモコン受信部１１、録画番組視聴操作履歴記憶部１３のデータを基にシステムコントローラ１５が作成した嗜好データを記憶する嗜好データベース記憶部１２、録画機が操作された操作内容を録画機２から受信して記憶する録画番組視聴操作履歴記憶部１３、録画機２からの映像信号と音声信号を入力してＡ／Ｖ出力制御部８に出力する映像・音声外部入力部１４、テレビ受信機１全体を制御するシステムコントローラ１５などからなっている。
【００１２】
次に、本実施の形態によるテレビ受信機１の動作を簡単に説明する。
【００１３】
視聴者がＴＶリモコン３を操作するとＴＶリモコン３よりリモコン受信部１１に赤外線や無線によりリモコン操作信号が送られる。このリモコン操作信号がリモコン受信部１１で受信されると、リモコン受信部１１は電気信号に変換してシステムコントローラ１５に出力する。システムコントローラ１５はリモコン受信部１１からの信号に基づき、チューナ及び復調部５に選局指令を出力する。これにより、チューナ及び復調部５は、視聴者が所望する番組データを含むチャンネルを選局し、この選局されたチャンネルのＴＳ信号を復調して出力する。
【００１４】
チューナ及び復調部５から出力されるＴＳ信号には、所望する番組を放送している放送局以外の放送局の信号も多重化され、それぞれの映像信号、音声信号、データ信号（伝送制御信号やＥＰＧ信号など）などのさまざまな信号が多重化されている。ＴＳ−Ｄｅｍｕｘ６は、入力されたこのＴＳ信号から目的番組の映像信号、音声信号のＴＳ信号を抽出してＡ／Ｖデコーダ７に出力する。また、ＴＳ−Ｄｅｍｕｘ６はＥＰＧ信号も抽出してシステムコントローラ１５に出力する。Ａ／Ｖデコーダ７に入力された映像信号、音声信号は、圧縮、符号化されているので、Ａ／Ｖデコーダ７は入力された映像信号、音声信号の伸長、復号化処理を行いＡ／Ｖ出力制御部８に出力する。また、Ａ／Ｖデコーダ７のデジタルの映像信号と音声信号を録画機２に出力する。
【００１５】
一方、録画機２からの映像信号と音声信号が映像音声外部入力部１４を経由してＡ／Ｖ出力制御部８に入力される。Ａ／Ｖ出力制御部８はシステムコントローラ１５からの信号によりＡ／Ｖデコーダ７、又は映像音声外部入力部１４からの映像信号と音声信号を選択して、音声信号をスピーカ９に出力し、映像信号をディスプレイ１０に出力する。これにより、スピーカ９から音声が出力され、ディスプレイ１０により映像が表示される。また、Ａ／Ｖ出力制御部８はアナログの映像信号と音声信号を外部の録画機２に出力する。なお、録画機２は、デジタル信号による録画、アナログ信号による録画のいずれでもよく、デジタル信号、アナログ信号に対応して、信号端子は切り替えて接続される。
【００１６】
また、録画機２にはハードディスクが備わり、録画データ（映像信号、音声信号）が記憶されると共に、録画、再生、巻き戻し、早送りなどの操作がされたとき、それらの操作履歴が記録される。録画機２に記憶された上記操作履歴の内容は、録画機２からテレビ受信機１内の録画番組視聴操作履歴記憶部１３に送信され記憶される。
【００１７】
システムコントローラ１５はテレビ受信機１全体を制御するとともに、録画番組視聴操作履歴記憶部１３に記憶された録画機２の操作履歴を基に視聴者の嗜好データを作成して嗜好データベース記憶部１２に記憶する。
【００１８】
視聴者がＴＶリモコン３の、例えば「お好み番組」ボタンを押下すると、後述の「お好み番組ガイド」表を表示する指令がテレビ受信機１に送信され、嗜好データベース記憶部１２に記憶されたデータとＴＳ−Ｄｅｍｕｘ６から入力されるＥＰＧデータを基に、視聴者の好みに合った「お好み番組ガイド」（後述）をディスプレイ１０に表示する。
【００１９】
次に、図２乃至図５の制御フローチャートを参照して、本実施の形態によるテレビ受信機１、及び録画機２の動作を詳細に説明する。図２乃至図５は、録画機２がどのように操作されたかの操作履歴を基に、視聴者の嗜好データベースを蓄積し、これを基に「お好み番組ガイド」表を表示するフローを示している。図６、図７はお好み番組ガイドの表示例を示している。
【００２０】
次に、図２により番組再生に関する操作履歴情報（番組再生履歴）の蓄積のフローを説明する。この図２に示した処理は録画機２の電源がＯＮされたとき、あるいは所定時間間隔で、録画機２において定期的に実行される。また、本処理は処理終了までの時間が比較的多く費やされるので、複数の番組に対して連続して実行するのでなく、本処理１回で１番組の処理を終了するようにし、複数の番組に対しては所定の時間間隔をおいて実行するようにすると良い。
【００２１】
ステップＳ１において、録画機２の電源がＯＮされたとき或いは所定時間間隔で番組再生履歴の蓄積処理が開始される。
【００２２】
ステップＳ２において、録画機２のハードディスクに記憶されている録画番組情報、番組再生履歴のデータ検索が行われる。録画番組情報としては、録画された番組の作成日時、録画された番組の放送局、録画された番組の時間帯、録画された番組の番組情報（番組名、ジャンル、出演者名など）などが記憶されている。また、番組再生履歴としては、上記録画番組情報に関連付けされて、再生時間（再生開始時間、再生終了時間）、再生された実時間の累積値（早送り時間、巻き戻し時間を含む再生開始から再生停止までの時間の累積値）などが記憶されている。ここで、再生された実時間の累積値として、早送り時間や巻き戻し時間を含むのは、この番組の再生に拘わった時間が、この番組に対する視聴者の好みの度合いを反映しているためである。
【００２３】
ステップＳ３において、ステップＳ２の検索の結果、録画された録画番組に番組再生履歴のデータがあるか否かチェックし、番組再生履歴のデータがないものは新規録画番組と判定する。ステップＳ３で新規録画番組がないと判定された場合（ＮＯの場合）、ステップＳ４に進み、削除された録画番組があるか否かがチェックされる。
【００２４】
ステップＳ４において、削除された録画番組がないと判定された場合（ＮＯの場合）にはステップＳ６に進み、本処理は終了となる。
【００２５】
ステップＳ４において、削除された録画番組があると判定された場合（ＹＥＳの場合）にはステップＳ５に進み、対象番組の録画番組情報、番組再生履歴を削除し、本処理は終了となる（ステップＳ６）。
【００２６】
ステップＳ３において、新規録画番組があると判定された場合（ＹＥＳの場合）にはステップＳ７に進む。ステップＳ７では対象番組の番組再生履歴が作成され、ステップＳ８において、再生された実時間の累積値が０にされ、本処理を終了する（ステップＳ６）。ステップＳ８において再生された実時間の累積値が０にされるのは、この時点で再生の実績がないためである。
【００２７】
次に、図３により番組再生履歴の更新フローを説明する。この図３に示したステップＳ１３乃至ステップＳ１７の処理は、録画再生が行われたときに録画機２において実行される。
【００２８】
ステップＳ１１で番組再生履歴の更新が開始され、ステップＳ１２において録画番組の再生があったか否かがチェックされる。録画再生がない場合には処理を終了する。また、録画番組の再生があった場合にはステップＳ１３に進み、時間の記録を開始する。
【００２９】
なお、ステップＳ１１では所定時間間隔で定期的に処理を開始し、ステップＳ１２において、録画番組の再生が実行されているか否かをチェックして録画番組の再生が実行されたときステップＳ１３に進むようにしているが、ステップＳ１１とステップＳ１２の代わりに割り込み処理を採用し、録画番組の再生が実行されたときの割り込み信号を受けてステップＳ１３に進むようにしてもよい。
【００３０】
次に、ステップＳ１４において時間がカウントされ、ステップＳ１５において停止操作をしたかがチェックされる。ステップＳ１５において停止操作が検知されない場合にはステップＳ１４に戻り、ステップＳ１４とステップＳ１５の処理を繰り返して時間カウントが継続される。
【００３１】
ステップＳ１５において、停止操作が検知されるとステップＳ１６に進み、時間の記録を終了する。次に、ステップＳ１７に進み、ステップＳ１４からステップＳ１６の処理で得られた再生時間を、番組再生履歴の「再生された実時間の累積値」に加算し、本処理は終了となる（ステップＳ１８）。この場合、ステップＳ１４における再生時間のカウントは、ステップＳ１２の録画番組の再生が開始されたときからステップＳ１５で再生停止操作の検知がなされるまでの時間となるから、この間に早送りや巻き戻しなどがあっても、再生された実時間としてカウントされる。
【００３２】
次に、図４により嗜好データベースの更新フローを説明する。この図４に示した処理は、テレビ受信機１側に構築された嗜好データベースを、録画機２側から受信した録画番組情報と番組再生履歴の履歴情報を基に更新する処理である。
【００３３】
まず、ステップＳ２０において、本処理の開始信号を受けて処理が開始される。この処理は、所定時間間隔で定期的に実行するようにするか、ＴＶリモコン３で視聴者が指示したときに実行するか、１つの録画番組の再生操作が終了し、録画機２側の録画番組情報と番組再生履歴の履歴情報が更新された直後に実行するなど、種々の開始タイミングが考えられる。
【００３４】
ステップＳ２１において、録画機２側からテレビ受信機１側に録画番組情報と番組再生履歴の履歴情報が送信され、テレビ受信機１側に録画番組情報と番組再生履歴の履歴情報が受信される。テレビ受信機１側に受信された履歴情報は録画番組視聴操作履歴記憶部１３に記憶される。このとき同一番組は上書きして記憶される。このとき実際に番組が再生された累積時間は最新の累積時間になる。
【００３５】
次にステップＳ２２において、全ての履歴情報を受信したか否かがチェックされる。全ての履歴情報を受信していない場合（ＮＯの場合）はステップＳ２１に戻り、全ての履歴情報を受信するまでステップＳ２１とＳ２２が繰り返される。
【００３６】
ステップＳ２２において全ての録画番組情報と番組再生履歴の履歴情報が受信されたと判断されたときステップＳ２３に進む。ステップＳ２３では、番組単位で録画番組視聴操作履歴記憶部１３に記憶された履歴情報と嗜好データベース１２の履歴情報が照合される。
【００３７】
次にステップＳ２４に進み、現在照合している履歴情報が新規履歴であるか否かがチェックされる。新規履歴でないと判断された場合（ＮＯの場合）には、ステップＳ２５においてその番組再生履歴に応じてスコアを増減する。
【００３８】
ここで、スコアとは番組再生履歴に応じて視聴者の好みの度合いを評価したものである。例えば、番組再生の実時間に比例した値をスコアとすることができ、あるいは番組再生の実時間に比例した値に更に重み付けをした値をスコアとすることができる。
【００３９】
重み付けをしたスコア付けの例として、下記のような例を挙げることができる。
【００４０】
スコア：＋２
・番組データが再生され、かつ番組データの作成日時との間隔が１日未満。
・番組データが再生され、かつ番組データの作成日時との間隔が１０日以上。
・番組データが再生され、かつ再生された実時間が番組データの再生時間の１００％以上。
スコア：＋１
・番組データが再生されたとき。
・番組データが再生され、かつ再生された実時間が番組データの再生時間の８０％以上。
スコア：−１
・番組データが再生され、かつ再生された実時間が番組データの再生時間の５０％以下。
・スコアが正であり、かつ番組データの作成日時から７日以上再生されていない。
スコア：−２
・番組データが再生され、かつ再生された実時間が番組データの再生時間の２０％以下。
・スコアが正であり、かつ番組データの作成日時から１４日以上再生されていない。
【００４１】
以上のスコア付けの例は１例であって、これ以外のスコア付けを行うことができることは言うまでもない。この例でもわかるように、録画されても再生された実時間が少ない番組程スコアが小さくなり、スコアがマイナスになった時点で当該番組の履歴は記録から削除されるようになっている。要するに視聴者の興味のある番組は積極的に録画した番組を見るという行為になり、これは録画された番組を再生した実時間の累積値に反映されることになる。したがって、番組再生の実時間の累積値、或いはこれに上記重み付けをすることにより視聴者の嗜好性を反映したスコアが得られるものである。なお、上の例では、録画されたが一度も再生されていない番組は、スコアがゼロのままであり続け、図２のステップＳ５の操作によって削除されなければ当該番組の履歴は原則的に削除されないようになっている。
【００４２】
ステップＳ２４において新規履歴であると判断された場合には、ステップＳ３０に進み、対応する履歴のスコアを計算し、ステップＳ３１において計算されたスコアを嗜好データベース記憶部１２に記憶する。
【００４３】
ステップＳ２６では録画番組視聴操作履歴記憶部１３に記憶された全ての履歴情報について照合したか否かがチェックされる。全ての履歴情報が照合されていないと判断された場合（ＮＯの場合）はステップＳ２３に戻り、次の番組についての履歴情報について照合を行う。以下ステップＳ２３乃至ステップＳ２６の処理を繰り返し、全ての履歴情報を照合したとステップＳ２６で判断された場合（ＹＥＳの場合）には、ステップＳ２７に進み、履歴情報の照合が終了する。次にステップＳ２８において、スコアがマイナスである履歴情報を削除し、ステップＳ２９で本処理が終了する。
【００４４】
次に、図５により番組表の作成フローを説明する。この図５に示した処理は、嗜好データベースに記憶されたスコアの値と、ＴＳ−Ｄｅｍｕｘ６から取り込んだＥＰＧデータを基に、視聴者の好みに合った「お好み番組ガイド」表を作成して表示するものである。
【００４５】
まず、ステップＳ４１において、視聴者がＴＶリモコンの、例えば「お好み番組」ボタンを押下すると本処理が開始される。
【００４６】
ステップＳ４２において、番組単位で嗜好データベースが検索される。次にステップＳ４３で嗜好データベースに記憶されたスコアの値がチェックされる。スコアが正の値の場合（ＹＥＳの場合）にはステップＳ４７に進む。ステップＳ４７では、対応する番組の時間帯に該当する番組データをＥＰＧデータより取得し、これを番組表に表示しステップＳ４４に進む。
【００４７】
また、ステップＳ４３においてスコアが正の値でないと判断された場合（ＮＯの場合）にはステップＳ４４に進む。
【００４８】
ステップＳ４４では全ての番組について検索したかチェックされる。全ての番組について検索が終了していない場合にはステップＳ４２に戻り、嗜好データベースに記憶された次の番組について検索を行い、ステップＳ４２乃至ステップＳ４４の処理を繰り返す。ステップＳ４４において、全ての番組について検索したと判断された場合にはステップＳ４５に進む。
【００４９】
ステップＳ４５ではスコア順に番組をソーティングし、ステップＳ４６で本処理を終了する。
【００５０】
図６は、図５に示した番組表の作成フローにしたがってスコア順に番組をソーティングしした結果を「お好み番組ガイド」として表示したものである。図６において、１６はお好み番組ガイド表示画面である。この「お好み番組ガイド」はスコアが大きい順に、放送局名、放送曜日と時間帯、番組名がリストされて表示される。但し、これは一例であって、表示項目はこれに限定されない。
【００５１】
図７は図５に示した番組表の作成フローにしたがって「お好み番組ガイド」を放送局別に該当する時間帯に番組内容を表示したものである。図７において、１７はお好み番組ガイド表示画面である。従来、一般にＥＰＧデータを使って表示される電子番組ガイド表は全ての番組について表示するようになっているが、図７に示した「お好み番組ガイド」表は視聴者の好みに合ったもののみ表示するようになっている。すなわち、図５のステップＳ４３、ステップＳ４７の処理から分かるように、番組表を表示するとき正のスコアの番組のみが表示されるようになっている。
【００５２】
図７に示した「お好み番組ガイド」表は、図５のステップＳ４７の処理内容によって、下記のように表示形態を変えることができる。
【００５３】
（例１）放送局名、曜日、時間帯をキーにして表示する方法。
【００５４】
具体的には、スコアが正と判断された番組が放送された曜日と時間帯の番組のみＥＰＧデータを基に表示するものである。すなわち、ステップＳ４３において正のスコアの番組と判断された場合、ステップＳ４７においてシステムコントローラ１５は当該番組のＥＰＧデータをＴＳ−Ｄｅｍｕｘ６から取得し「お好み番組ガイド」の該当する位置に表示する。この曜日と時間帯の番組に該当する番組は、過去に視聴者が好んで再生して視聴したものである。テレビ番組は曜日と時間帯が固定されて繰り返し同じ番組名のものが放送される傾向にあるため、次もこの時間帯の番組を録画することが期待される。もし仮に前の連続番組が終了して、次から別の題名の連続番組がスタートした場合には、次の連続番組の番組名が表示される。これは放送局名、曜日、時間帯を特化してＥＰＧデータから番組を抽出するためである。テレビ番組は前の番組と次に始まる番組の内容を似たものとすることが多い（前回が時代劇であった場合、次も同様に視聴者が好む時代劇である場合が多い）ので、視聴者にとって、次に始まる番組を見逃さないようにするためにも有効である。
【００５５】
（例２）番組名をキーにして表示する方法。
【００５６】
具体的にはステップＳ４３でスコアが正の番組であると判断された場合、ステップＳ４７においてシステムコントローラ１５は当該番組と同一番組名を持つ全ての番組についてのＥＰＧデータをＴＳ−Ｄｅｍｕｘ６から取得し「お好み番組ガイド」の該当する位置に表示するものである。この表示方法は、当該番組の放送される曜日や時間帯が変更になった場合、あるいは再放送がある場合に、これらが全て表示されるので、番組を見逃さないために有効である。
【００５７】
上記例１、例２の表示方法は一例であって、これに限定されない。
【００５８】
また、図７で示した「お好み番組ガイド」表は、スコアが正の番組をＥＰＧデータから該当の番組を抽出して表示し、それ以外は非表示としている。このようにすると、視聴者は番組を選ぶとき、強調表示された少ない番組間をカーソル移動するだけで簡単に選ぶことができるので、短時間に番組を選択できる。
【００５９】
また、図７の例ではスコアが正の番組のみ表示したが、通常、一般に表示される電子番組ガイド表においてスコアが正の番組を色分けして強調表示するようにしてもよい。
【００６０】
また、特許文献１〜３などの従来技術を組み合わせて表示することもできる。即ち、例えば視聴頻度が高い番組を表示する従来の番組表示と、録画番組の再生頻度が高い本発明による番組表示を色分けして表示することも可能である。このように表示すると、リアルタイムに見る番組と、録画して後で見る番組に区分けすることができ、リアルタイムに見る番組としての「お勧め視聴番組」と録画して後で見る番組の「お勧め録画番組」が区別され、視聴者は見たい番組を見逃すことが少なくなる。この場合には本発明によって抽出した番組と従来技術によって抽出した番組を同一電子番組ガイド表に合成して表示すればよい。
【００６１】
以上の実施の形態では、録画機２がテレビ受信機１と別体になった外部機器の場合を説明したが、録画機２はテレビ受信機１と一体になっていてもよい。録画機２がテレビ受信機１と一体になった場合には、録画機２の操作履歴を録画番組視聴操作履歴記憶部１３に直接記録すればよい。またこの場合には、図４のステップＳ２１、Ｓ２２に示した録画機２からテレビ受信機１への履歴データの送信は不要となるのでステップＳ２０からステップＳ２３へ直接進むようにすれば同様に実施することができる。
【００６２】
また、録画機２がテレビ受信機１と別体となっている上記実施の形態は、録画機を交換した場合、前の履歴情報がテレビ受像機１の録画番組視聴操作履歴記憶部１３に記憶されているので、前の録画記録に新しい録画機での履歴情報を蓄積することができるという利点がある。また、複数の録画機を使用した場合には、同一番組については番組再生の累積時間を加算して記憶するようにすれば、集約した履歴情報を録画番組視聴操作履歴記憶部１３に記憶することができるという利点がある。
【００６３】
また、録画機２とテレビ受信機１を一体にしたものに、外部機器として別の録画機を接続
できるようにしてもよい。この場合には内部の録画機の履歴情報と外部の録画機の履歴情報はテレビ受像機１内の録画番組視聴操作履歴記憶部１３に同一番組については番組再生の累積時間を加算して記憶される。
【００６４】
また、上記実施の形態では、録画機２が番組の映像信号、音声信号、録画／再生履歴などをハードディスクに記録するとして説明したが、ハードディスクに代えて半導体メモリや他の記録媒体に記録することもできる。
【００６５】
また、上記実施の形態では、テレビ受像機１内に嗜好データベース記憶部１２、録画番組視聴操作履歴記憶部１３を備えて嗜好性に関する判断をする例を挙げたが、これら嗜好データベース記憶部１２、録画番組視聴操作履歴記憶部１３を録画機２の内部に備えるようにすることもできる。そして嗜好性に関する判断結果を基に、上記実施の形態と同様に電子番組ガイド表に表示、番組選局などの制御を行なうことができる。この場合、テレビ受信機１の代わりに、映像表示用モニタと音声再生装置を接続することにより嗜好性を反映した番組の再生をすることもできる。また、テレビ受像機１内と録画機２内の両方に嗜好データベース記憶部１２、録画番組視聴操作履歴記憶部１３を備えてもよい。
【００６６】
また、上記実施の形態では、正のスコアの番組を電子番組ガイド表に表示するとしたが、所定の値以上のスコアの番組を電子番組ガイド表に表示するようにしてもよい。
【００６７】
以上の実施の形態の説明では、前記放送番組の録画、再生に関する操作履歴に基づいて電子番組ガイド表を表示する具体例について示したが、前記放送番組の録画、再生に関する操作履歴に基づいて放送番組を選局することもできる。例えば、図５のステップＳ４５スコア順に番組をソーティングした結果を利用し、放送番組を選局するときにこのスコア順に選局していくようにすることができる。この場合にはＴＶリモコンにお好み自動選局ボタンなどを設けると良い。あるいはテレビ受信機１の電源をオンしたとき、まず一番スコアの値が大きい放送番組を自動選局するようにできる。
【００６８】
以上、本実施の形態を具体的に説明したが、本発明は上記実施の形態に限定されず、発明の要旨を逸脱しない範囲で変更して実施することができる。
【産業上の利用可能性】
【００６９】
本発明は、テレビ受信機に限らず、電子番組ガイド表により番組を選択し、録画／再生するような機器に広く利用できる。
【図面の簡単な説明】
【００７０】
【図１】本発明の、第１の実施の形態におけるテレビジョン受像機の制御構成図を示す。
【図２】本発明の、第１の実施の形態におけるテレビジョン受像機の制御動作（番組再生履歴の蓄積処理）を示すフローチャートである。
【図３】本発明の、第１の実施の形態におけるテレビジョン受像機の制御動作（番組再生履歴の更新処理）を示すフローチャートである。
【図４】本発明の、第１の実施の形態におけるテレビジョン受像機の制御動作（嗜好データベースの更新処理）を示すフローチャートである。
【図５】本発明の、第１の実施の形態におけるテレビジョン受像機の制御動作（番組表の作成処理）を示すフローチャートである。
【図６】本発明の、第１の実施の形態におけるテレビジョン受像機で表示されるお好み番組ガイドの一例を示す図である。
【図７】本発明の、第１の実施の形態におけるテレビジョン受像機で表示されるお好み番組ガイドの他の一例を示す図である。
【符号の説明】
【００７１】
１・・・テレビ受信機（映像再生装置）
２・・・録画機（映像再生装置）
３・・・リモートコントローラ（ＴＶリモコン）
４・・・アンテナ
５・・・チューナ及び復調部
６・・・ＴＳ−Ｄｅｍｕｘ
７・・・Ａ／Ｖデコーダ
８・・・Ａ／Ｖ出力制御部
９・・・スピーカ
１０・・・ディスプレイ
１１・・・リモコン受信部
１２・・・嗜好データベース記憶部
１３・・・録画番組視聴操作履歴記憶部
１４・・・映像・音声外部入力部
１５・・・システムコントローラ
１６・・・お好み番組ガイド表示画面
１７・・・お好み番組ガイド表示画面
【図１】
2008042567.tif 000003
【図２】
2008042567.tif 000004
【図３】
2008042567.tif 000005
【図４】
2008042567.tif 000006
【図５】
2008042567.tif 000007
【図６】
2008042567.tif 000008
【図７】
2008042567.tif 000009